(57)【要約】【課題】  従来は、チュウブ容器の蓋はネジ式の容器が多様あり、例えば内容物のクリームが手に出し終えた後、直ちに再度クリームを出したい時、手のクリームが蓋に着いてしまうことが再三あった、又入院していた時、片方の手に点滴をしていて歯を磨くとき、両方の手を使う為、蓋を洗面所に落してしまう事が度々あった。【解決手段】  本発明に係る容器の蓋は、蓋の取り外しが無く、容器の本体チュウブの部分を軽く押しただけでチュウブの内容物が出て来る、放せばチュウブの内容物が出る部分は閉状を保ち密封状態になる、蓋を触らず内容物が出せる容器の蓋である、尚蓋の容器の外形は形が違っても良い事を特徴とする。【選択図】図１
2011057286.tif 000002
【特許請求の範囲】
【請求項１】
円錐形は頂点が平行で、頂点は開閉できる、頂点が平行円錐形は頂点から中央の部分まで台形であり、台形は同量の厚さ、第１、第２、第３、第４と段階に分けその間は、より薄くしてあり領端を設置した、頂点が平行円錐形の最下は、内蓋の円筒が設置してあり、頂点が平行円錐形と内蓋の円筒が１体である、一体化した頂点が平行円錐形の上から筒状を被せた、筒状の内側両端中央から最下迄と内蓋の円筒の外側左右を橋状に設置してあり、筒状の最上は皿のように傾斜であり、最上の中央から台形の頂点が出てある、頂点が平行円錐形と内蓋の円筒と筒状は一体化であり弾性体がある、一体化した内側の最下から押す圧力を加えると台形の最上頂点は隙間が出来る、台形は密着も維持出来ることを特徴とする容器の蓋。
【請求項２】
前記頂点が平行円錐形と内蓋の円筒と筒状は一体であり、伸びても元に戻る弾性体によって構成される、頂点が平行円錐形の中央から最上迄は台形であり両端設置してある、台形は硬度が大と小の繰り返しで構成されそれを支える両端はより硬度が大であり台形は左右に広がる事は無く、前後に開くことを特徴とする容器の蓋。
【請求項３】
前記内蓋の円筒と筒状の間は多少のネジの違いに対応できるようにＳ状に設置してあり一体化である、Ｓ状の底外側は平らで内側に塵が入らないようになってある、内蓋の円筒最下内側から最上に向って圧力が加わると頂点が平行円錐形の最上は下からの圧力により隙間が出来ることを特徴とする容器の蓋。
【発明の詳細な説明】
【技術の分野】
【０００１】  本発明は、愛用歯磨き粉や化粧品の収納するチュウブ等の容器の蓋に関し、蓋をした状態で容器内物を使用することに関する。
【背景技術】
【０００２】  従来は、チュウブの愛用歯磨き粉や化粧品の容器の蓋はネジ式の容器が多様あり、チュウブ容器の内容物のクリーム状を出した直後、再び使用した場合、最初に出した内容物のクリーム状が他に着かないようにするのが困難であった、又入院していた時は点滴をして片手だったので蓋を何度か洗面所に落してしまうことが何度かあった、毎回蓋の開け閉めが困難であった。
【発明の開示】
【発明が解決しようとする課題】
【０００３】  以上に述べた従来のチュウブ容器の蓋は、毎回容器の蓋を取り外さなければならない、チュウブ容器に入っている内容物を使用し、蓋をした後直ちに２度使用したいとき等は１度手に塗ってあるので再び内容物を出そうとすると蓋も容器も内容物が他に着いてしまう、歯を磨く時は、歯磨き粉と歯ブラシを両手使うので片手が不自由の時は歯磨き粉の蓋を開けるのが困難である。【０００４】  本発明は、このような従来の容器の蓋を、本発明の容器の蓋と交換する、本発明に係る容器の蓋は、蓋を取り外さなくても容器のチュウブの部分を押しただけで内容物のクリーム状が出てくる、押すのを辞めると自然に閉じ密着する容器の蓋を提供することを課題とする。
【課題を解決するための手段】
【０００５】  以上の課題を解決するために、本発明に係る容器の蓋は、頂点が平行円錐形で頂点は開閉し、中央から頂点まで台形である、台形は同量の厚さ、第１、第２、第３、第４と段階に分けその間はより薄くしてあり、左右領端を接着した、頂点が平行円錐形の最下の底面が円の部分は内蓋の円筒を設置してある、頂点が平行円錐形と内蓋の円筒が１体であり、一体化した外側上から筒状を被せた、筒状の最上は皿のように傾斜である、最上の中央から頂点が平行円錐形の平行の先が出てある、筒状の左右内側の中央から最下迄と、内蓋の円筒の左右外側を橋状に設置してあり、頂点が平行円錐形と内蓋の円筒と筒状は一体化で軟度がある、内側の最下から押す力を加えると台形の最上は隙間が出来る、台形は密着も維持出来ることを特徴とする容器の蓋。【０００６】  このような構成によると、チュウブ容器の蓋の部分に本発明の容器の蓋を取り着ければ、チュウブの内容物のクリーム等が無くなるまで蓋の取り外しをしなくても、使用が可能である。
【発明の効果】
【０００７】  本発明によると、容器の蓋の取り外しを毎回しなくても、容器のチュウブを押しただけで、最上の中央の部分から内容物のクリーム等が出る、容器のチュウブを押すのを止めれば中央の部分は閉まり内容物が容器から洩れることは無く密着してあり、本発明は容器の蓋をした常態で容器内のクリーム等を出し、蓋を触らず開閉できる容器の蓋である。【０００８】  本発明の容器の蓋によれば、チュウブのように容器を押すと凹む素材であれば、容器の蓋は伸縮性があるので、多少の違う容器の蓋にも応用出来る。
【発明を実施するための最良の形態】
【０００９】  この実施形態によれば、チュウブ容器の蓋と本発明の容器の蓋を交換する事により、チュウブ容器内の内容物を出す時、毎回蓋を外すことが無い、チュウブ容器を押すと蓋の最上の中央から容器の内容物クリーム等が出る、押すのを止めると蓋の中央部分が密着する、台形部分は図２−第１、第２、第３、第４とその間の薄さにより密着してあり洩れることはない。
【実例１】
【００１０】  以下、本発明の実施形態に係る容器の蓋について図１〜図６に基づいて説明する。
本発明に係る容器の蓋は、弾性材料で例えばシリコーンゴム等で、図１は容器の蓋の斜視図であって６容器のネジの部分が入る入口で、１０は図６−１７本体容器の蓋のネジの部分が入る内蓋の円筒であり、９容器の蓋のネジの部分が収まる最上で、１２頂点が平行円錐形は９の部分が輪に成っていて、９から５頂点開閉の部分に掛けてチュウブ容器の内容物のクリーム等が通る、１２と１０は一体化で更に１５筒状を被せ１０と１２と１５は一体化である、１５の最上は１３皿状傾斜であり、１４容器の蓋の安定感を持たす部分は容器を図６のように下向きに置く場合の安定感を持たす部分で、１４より５の方が少し低めである、１６は容器に蓋をする時の持ち手である。
【００１１】  図２は前方から見た１２頂点が平行円錐形と１０内蓋の円筒が一体化の斜視図である、６容器のネジの部分が入る入口で９容器蓋のネジの部分が収まる最上であり、容器内の内容物、例えばクリーム等が９から５頂点開閉の部分に向って出る、クリーム等は第４、第３、第２、第１を通る、７第１〜第４の間の最小硬度の部分で硬度がより小さい部分である、８台形の左右領端は第４、第３、第２、第１と７を固定する、１０内蓋の円筒は容器のネジの部分を収める。
【００１２】  図３は本発明の容器の蓋の断面斜視図であり１０内蓋の円筒と１５筒状は左右両端の中央から最下まで１１橋状に設置し強度を有し一体化である、１４容器の蓋の安定感を持たす部分は図６本体の容器を下向きに置いた場合の安定感を齎す、６容器のネジの部分が入る入口であり１８蓋の入り口を収めるＳ状は伸縮があり６と１５の底と一体化であり、容器の蓋の多少の大小差は入るようになってある、１０は本体容器のネジの部分が収まり、９容器の蓋のネジの部分が収まる最上である、９から５頂点開閉の部分に掛けて容器内の内容物が通り出る、８台形の左右領端は第４から第１及び硬度がより小さい図２−７の固定を齎す。
【００１３】  図４は、本発明の容器の蓋、内部で横から見た斜視図であり、１０内蓋の円筒と５頂点が平行円錐形は一体化である、６容器のネジの部分が入る入口であり、９容器の蓋のネジの部分が収まる最上である、８台形の左右領端の部分で図２−７より硬度が大である。
【００１４】  図５は本発明の容器の蓋を横から見た斜視図である、図４内部に１５筒状を被せ１１橋状に設置し固定してあり、１５の底と６の間は１８蓋の入り口を収めるＳ状が設置してある、Ｓ状は多少の蓋の大きさなら応用できて外側の底は不要物が入らないように平である、容器内の内容物は９から出て５に掛けて通る道で、８台形の左右領端は第４から第１を通る内容物の開閉を安定させる。
【００１５】  図６は１７本体の容器に本発明の容器の蓋をして下向きに置いた図である、５頂点開閉の部分は１４より低い位置で１３皿状傾斜になってある、従って洗面所の台等に置いても口部に直接着く事はない。
【産業上の利用可能性】  チュウブの容器の内容物を出す時、蓋に触らないでチュウブの内容物をスムーズに出す事ができる、又内容物を続けて使用したい時、１度出した内容物が手に着いていても蓋を取り外す必要が無く、チュウブを押すだけで何度も使用出来て衛生的である。
【図面の簡単な説明】
【００１６】
【図１】実施形態に係る容器の蓋の全体斜視図である。（実例１）
【図２】本発明に係る容器の蓋の内部の断面斜視図である。（実例２）
【図３】本発明に係る容器の蓋図２内蓋の上から１５筒状を被せ１１橋状に設置し、１５と６の間をＳ状設置した断面斜視図である。
【図４】本発明に係る蓋の容器の内部の真横斜視図である。
【図５】本発明に係る容器の蓋の図４に１５を被せた真横断面斜視図である。
【図６】１７本体チュウブ容器に本発明の蓋をして下向きに置いた斜視図である。
【符号の説明】
【００１７】  １．  第１
２．  第２
３．  第３
４．  第４
５．  頂点開閉の部分
６．  容器のネジの部分が入る入口
７．  第１〜第４の間の最小硬度の部分
８．  台形の左右領端
９．  容器の蓋のネジの部分が収まる最上
１０．  内蓋の円筒
１１．  橋状に設置
１２．  頂点が平行円錐形
１３．  皿状傾斜
１４．  容器の蓋の安定感を持たす部分
１５．  筒状
１６．  容器に蓋をする時の持ち手
１７．  本体容器
１８．  蓋の入り口を収めるＳ状
【図１】
2011057286.tif 000003
【図２】
2011057286.tif 000004
【図３】
2011057286.tif 000005
【図４】
2011057286.tif 000006
【図５】
2011057286.tif 000007
【図６】
2011057286.tif 000008